(57)【要約】【課題】本発明は、折畳みが自在な、キーボードを備えた折畳み式電子機器を提供することを目的とする。【解決手段】本発明に係る折畳み式電子機器は、第一部材と、第二部材と、第三部材と、を備える。前記第一部材と前記第二部材とは、第一ヒンジを介して連結され、前記第二部材と前記第三部材とは、第二ヒンジを介して連結される。前記第一部材と前記第二部材とは、前記第一ヒンジを介して、０〜α度回転し、前記第二部材と前記第三部材とは、前記第二ヒンジを介して０〜α度回転する。【選択図】図３
2012256315.tif 000002
【特許請求の範囲】
【請求項１】
第一部材と、第二部材と、第三部材と、を備え、前記第一部材と前記第二部材とは、第一ヒンジを介して連結され、前記第二部材と前記第三部材とは、第二ヒンジを介して連結され、前記第一部材と前記第二部材とは、前記第一ヒンジを介して０〜α度回転し、前記第二部材と前記第三部材とは、前記第二ヒンジを介して０〜α度回転することを特徴とする折畳み式電子機器。
【請求項２】
前記第一部材、前記第二部材又は前記第三部材は、前記第一ヒンジ及び前記第二ヒンジを介して電気的に接続されることを特徴とする請求項１に記載の折畳み式電子機器。
【請求項３】
前記折畳み式電子機器のキーボードを使用する場合、先ず前記第一部材を、前記第一ヒンジを介して前記キーボードに向けて回転させ、この際、前記第二部材と前記第一部材との間に角度が形成され、次に、前記第二部材を、前記第二ヒンジを介して前記キーボードに向けて回転させ、この際、前記第三部材と前記第二部材との間に角度が形成され、これにより、前記第一部材は前記キーボードを備えた前記第三部材の表面に支持されると共に、ディスプレイを備えた側の前記第一部材の表面は使用者に対面することを特徴とする請求項１または２に記載の折畳み式電子機器。
【請求項４】
前記キーボードを使用せず、前記第一部材のディスプレイのみを使用したい場合、前記第一部材、前記第二部材及び前記第三部材を折畳んで層状に重ね合わせ、且つ前記第一部材のディスプレイを外部に露出させることを特徴とする請求項１から３のいずれか一項に記載の折畳み式電子機器。
【請求項５】
前記折畳み式電子機器を使用しない場合、前記第一部材、前記第二部材及び前記第三部材を折畳み、且つ前記第三部材によって前記第一部材のディスプレイが設置された表面を覆うことを特徴とする請求項１から４のいずれか一項に記載の折畳み式電子機器。
【請求項６】
前記第一ヒンジの幅は前記第三部材の厚さより大きく、前記第二ヒンジの幅は前記第一部材の厚さより大きいことを特徴とする請求項１から５のいずれか一項に記載の折畳み式電子機器。
【発明の詳細な説明】
【技術分野】
【０００１】
本発明は、キーボードを備えた折畳み式電子機器に関するものである。
【背景技術】
【０００２】
現在、多くのタブレット型パソコン等の電子機器が、タッチパネルを備えているが、このような電子機器は、更なる小型化を図るために、別にキーボードを設けず、タッチパネルに表示されるバーチャル・キーボード（ｖｉｒｔｕａｌ  ｋｅｙｂｏａｒｄ）を介して操作を行うようになっている。しかし、前記バーチャル・キーボードは、タッチパネルの表示スペースを占有し且つ操作が不便であるため、キーを押し間違えてしまう等の誤操作を起こし易い。
【発明の概要】
【発明が解決しようとする課題】
【０００３】
本発明の目的は、前記課題を解決し、折畳みが自在な、キーボードを備えた折畳み式電子機器を提供することである。
【課題を解決するための手段】
【０００４】
本発明に係る折畳み式電子機器は、第一部材と、第二部材と、第三部材と、を備える。前記第一部材と前記第二部材とは第一ヒンジを介して連結され、前記第二部材と前記第三部材とは第二ヒンジを介して連結される。前記第一部材と前記第二部材とは前記第一ヒンジを介して０〜α度回転し、前記第二部材と前記第三部材とは前記第二ヒンジを介して０〜α度回転する。
【発明の効果】
【０００５】
本発明のキーボードを備えた折畳み式電子機器は、折畳み可能な三つの部材を備え、その内１つの部材にはキーボードが設置され、前記キーボードが設置された表面に対面する1つの部材の表面にはディスプレイが設置される。そのため、前記キーボードを使用する場合はキーボードを露出させ、キーボードを使用しない場合はキーボードをしまうことができる。従って、前記キーボードを備えた折畳み式電子機器は、タッチパネルの表示スペースを占有せず、且つ誤操作を軽減させることができる。
【図面の簡単な説明】
【０００６】
【図１】本発明の実施形態に係るキーボードを備えた折畳み式電子機器が展開した状態の立体図である。
【図２】図１に示す本発明の実施形態に係るキーボードを備えた折畳み式電子機器を別の視点から見た立体図である。
【図３】図１に示す本発明の実施形態に係るキーボードを備えた折畳み式電子機器のキーボードを使用する場合の立体図である。
【図４】図１に示す本発明の実施形態に係るキーボードを備えた折畳み式電子機器のキーボードを使用しない場合の立体図である。
【図５】図１に示す本発明の実施形態に係るキーボードを備えた折畳み式電子機器のディスプレイが覆われた後の立体図である。
【発明を実施するための形態】
【０００７】
以下、図面を参照して、本発明の実施形態について説明する。
【０００８】
図１を参照すると、前記電子機器１は、第一部材１０と、第二部材２０及び第三部材３０と、を備える。前記第一部材１０と第二部材２０とは、第一ヒンジ４０を介して連結される。前記第二部材２０と前記第三部材３０とは、第二ヒンジ５０を介して連結される。前記第一部材１０及び前記第二部材２０は、前記第一ヒンジ４０を介して、０〜α度回転することができる。また、前記第二部材２０及び前記第三部材３０は、前記第二ヒンジ５０を介して、０〜α度回転することができる。ここでのαの角度は、α≧１８０度である。本実施形態において、α＝１８０度である。
【０００９】
図２を参照すると、前記第三部材３０はキーボード７０を備え、前記第一部材１０は、前記キーボード７０が設置された表面と対面する表面にディスプレイ６０を備える。メモリ、プロセッサ、サウンドカード、及びビデオカード等のような電子機器１の他の部品は、必要に応じて前記第一部材１０、前記第二部材２０又は前記第三部材３０に設置することができる。異なる部品の各々の接続線は、前記第一ヒンジ４０及び前記第二ヒンジ５０を介して、電気的に接続される。
【００１０】
図３を参照すると、前記電子機器１のキーボード７０を使用する場合は、先ず前記第一部材１０を、前記第一ヒンジ４０を介して前記キーボード７０に向けて回転させる。この際、前記第二部材２０と前記第一部材１０との間には、角度が形成される。次に、前記第二部材２０を、前記第二ヒンジ５０を介して前記キーボード７０に向けて回転させる。この際、前記第三部材３０と前記第二部材２０との間には、角度が形成される。これにより、前記第一部材１０は前記キーボード７０を備えた第三部材３０の表面に支持され、且つ前記ディスプレイ６０を備えた側の第一部材１０の表面は使用者に対面する。従って、使用者は、前記第三部材３０上に設置されたキーボード７０によって、前記第一部材１０のディスプレイ６０に表示される内容に対して操作を行うことができる。
【００１１】
図４を参照すると、前記キーボード７０を使用せずに前記第一部材１０のディスプレイ６０のみを使用したい場合は、前記第一部材１０、前記第二部材２０及び前記第三部材３０を折り畳んで層状に重ね合わせ、前記第一部材１０のディスプレイ６０を外部に露出させる。
【００１２】
図５を参照すると、前記電子機器１を使用しないため前記電子機器１をしまう場合は、前記第一部材１０、前記第二部材２０及び前記第三部材３０を折り畳み、且つ前記第三部材３０によって、前記第一部材１０のディスプレイ６０が設置された表面を覆う。これにより、前記ディスプレイ６０を保護でき、ディスプレイ上にできる傷を防止することができる。
【００１３】
本実施形態において、前記電子機器１は、折畳み易いように、前記第一ヒンジ４０の幅が前記第三部材３０の厚さより大きく、且つ前記第二ヒンジ５０の幅が前記第一部材１０の厚さより大きい。
【００１４】
本実施形態において、前記電子機器１は、タブレット型パソコンである。
【００１５】
以上、本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲から決まる。
【符号の説明】
【００１６】
１    電子機器
１０  第一部材
２０  第二部材
３０  第三部材
４０  第一ヒンジ
５０  第二ヒンジ
６０  ディスプレイ
７０  キーボード
【図１】
2012256315.tif 000003
【図２】
2012256315.tif 000004
【図３】
2012256315.tif 000005
【図４】
2012256315.tif 000006
【図５】
2012256315.tif 000007